【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
潜像担持体上に粉体を付着させて潜像担持体上の潜像を現像するための現像装置において、前記潜像担持体に対向して配置され、前記粉体を移動させる進行波電界を発生させるための複数の電極を有する搬送部材を備え、前記搬送部材の電極には、前記粉体が前記潜像の画像部に対しては前記潜像担持体側に向かい、非画像部に対しては前記粉体が前記潜像担持体と反対側に向かう方向の電界を形成するｎ相の電位が印加されることを特徴とする現像装置。
【請求項２】
潜像担持体上に粉体を付着させて潜像担持体上の潜像を現像するための現像装置において、前記潜像担持体に対向して配置され、前記粉体を移動させる進行波電界を発生させるための複数の電極を有する搬送部材を備え、前記搬送部材の電極にはｎ相の電位が印加され、前記搬送部材の電極に印加される電圧の平均値電位が、前記潜像の画像部電位と非画像部電位の間となる電位であることを特徴とする現像装置。
【請求項３】
請求項１又は２に記載の現像装置において、前記搬送部材の電極に印加される電圧の波形はパルス電圧と直流バイアス電圧とを重畳した波形であることを特徴とする現像装置。
【請求項４】
請求項３に記載の現像装置において、前記直流バイアス電圧を出力する手段を有し、この手段は直流バイアス電圧の値を変化可能なことを特徴とする現像装置。
【請求項５】
請求項１又は２に記載の現像装置において、前記搬送部材の電極に印加される電圧の波形はパルス状波形であることを特徴とする現像装置。
【請求項６】
請求項１に記載の現像装置において、前記搬送部材に印加される電圧の波形にはパルス状波形を含み、パルス状波形のうち前記搬送部材からトナーが反発飛翔する電位が、前記潜像の画像部電位と非画像部電位の間となる電位であることを特徴とする現像装置。
【請求項７】
潜像担持体上に粉体を付着させて潜像担持体上の潜像を現像するための現像装置において、現像領域通過後の領域で前記粉体が前記潜像担持体と反対側に向かう方向の電界を形成する手段を備えていることを特徴とする現像装置。
【請求項８】
潜像担持体上に粉体を付着させて潜像担持体上の潜像を現像するための現像装置において、現像領域で、前記粉体が前記潜像の画像部に対しては前記潜像担持体側に向かい、非画像部に対しては前記粉体が前記潜像担持体と反対側に向かう方向の電界を形成し、現像領域通過後の領域で、前記粉体が前記潜像担持体と反対側に向かう方向の電界を形成する手段を備えていることを特徴とする現像装置。
【請求項９】
請求項７又は８に記載の現像装置において、前記現像領域通過後の領域で形成される電界の強さは前記潜像担持体に付着した粉体を潜像担持体面より引き剥がさない範囲であることを特徴とする現像装置。
【請求項１０】
請求項７ないし９のいずれかに記載の現像装置において、前記電界を発生する手段は、前記粉体を搬送させるための進行波電界を発生させるための複数の電極を有する搬送部材を含み、この搬送部材の各電極にｎ相の電位が印加されることを特徴とする現像装置。
【請求項１１】
請求項１０に記載の現像装置において、前記潜像担持体側の電位に対して前記進行波電界を発生させるために前記搬送部材に印加される電位は、前記現像領域で、前記粉体が前記潜像の画像部に対しては前記潜像担持体側に向かい、非画像部に対しては前記粉体が前記潜像担持体と反対側に向かう方向の電界が形成され、現像領域通過後の領域で、前記粉体が前記潜像担持体と反対側に向かう方向の電界が形成される電位であることを特徴とする現像装置。
【請求項１２】
請求項１０又は１１に記載の現像装置において、前記搬送部材に印加される電圧の平均値電位が、前記現像領域では前記潜像の画像部電位と非画像部電位の間の電位であり、前記現像領域通過後の領域では前記潜像の画像部電位と非画像部電位の両電位よりも高い電位であることを特徴とする現像装置。
【請求項１３】
請求項１０又は１１に記載の現像装置において、前記搬送部材に印加される電圧の平均値電位が、前記現像領域では前記潜像の画像部電位と非画像部電位の間であり、前記現像領域通過後の領域では前記潜像の画像部電位と非画像部電位の両電位よりも低い電位であることを特徴とする現像装置。
【請求項１４】
請求項１０ないし１３のいずれかに記載の現像装置において、前記潜像担持体と前記搬送部材との間のギャップに応じて前記搬送部材に異なるバイアス電圧が印加され、又は前記搬送部材に印加される電位が異なることを特徴とする現像装置。
【請求項１５】
請求項１０ないし１３のいずれかに記載の現像装置において、前記潜像担持体と前記搬送部材との間のギャップが前記現像領域と前記現像領域通過後の領域で略同じであることを特徴とする現像装置。
【請求項１６】
請求項１５に記載の現像装置において、前記搬送部材が湾曲面を形成可能な部材で形成されていることを特徴とする現像装置。
【請求項１７】
請求項１６に記載の現像装置において、前記搬送部材の湾曲面を形成している部分が前記現像領域通過後の領域であることを特徴とする現像装置。
【請求項１８】
請求項１７に記載の現像装置において、前記搬送部材の湾曲面を形成している部分は前記潜像担持体との間のギャップが潜像担持体の移動方向下流側ほど広くなっていることを特徴とする現像装置。
【請求項１９】
請求項１０ないし１８のいずれかに記載の現像装置において、前記搬送部材の電極に対して、前記現像領域では０〜−Ｖ１の電圧が、現像領域通過後の領域では０〜＋Ｖ２の電圧が印加されることを特徴とする現像装置。
【請求項２０】
請求項１０ないし１８のいずれかに記載の現像装置において、前記搬送部材の電極に対して、前記現像領域では０〜＋Ｖ３の電圧が、現像領域通過後の領域では０〜−Ｖ４の電圧が印加されることを特徴とする現像装置。
【請求項２１】
請求項１９又は２０に記載の現像装置において、前記搬送部材の電極に対して印加する駆動波形を生成する回路にはクランプ回路を含むことを特徴とする現像装置。
【請求項２２】
請求項１０ないし１８のいずれかに記載の現像装置において、前記搬送部材の電極に対して、前記現像領域では−Ｖ５〜−Ｖ６（Ｖ５＞Ｖ６）の電圧が、現像領域通過後の領域では＋Ｖ７〜＋Ｖ８（Ｖ８＞Ｖ７）電圧が印加されることを特徴とする現像装置。
【請求項２３】
請求項１０ないし１８のいずれかに記載の現像装置において、前記搬送部材の電極に対して、前記現像領域では＋Ｖ９〜Ｖ１０（Ｖ１０＞Ｖ９）の電圧が、現像領域通過後の領域では−Ｖ１１〜−Ｖ１２（Ｖ１２＞Ｖ１１）の電圧が印加されることを特徴とする現像装置。
【請求項２４】
請求項２２又は２３に記載の現像装置において、前記搬送部材の電極に対して印加する駆動波形を生成する回路を有し、この回路にはクランプ回路を含み、このクランプ回路には直流バイアス電圧を発生する手段を含むことを特徴とする現像装置。
【請求項２５】
請求項２４に記載の現像装置において、前記直流バイアス電圧を発生する手段は直流バイアス電圧の値を変化可能なことを特徴とする現像装置。
【請求項２６】
潜像担持体上に粉体を付着させて潜像担持体上の潜像を現像するための現像方法において、現像領域通過後の領域で前記粉体を前記潜像担持体と反対側に向かわせる方向の電界を形成して、現像領域通過後の領域で前記粉体を引き戻すことを特徴とする現像方法。
【請求項２７】
少なくとも現像手段を含み、画像形成装置本体に着脱自在であるプロセスカートリッジにおいて、前記現像手段が請求項１ないし２５のいずれか記載の現像装置の搬送部材であることを特徴とするプロセスカートリッジ。
【請求項２８】
潜像担持体上に粉体を付着させて潜像担持体上の潜像を現像して画像を形成する画像形成装置において、前記請求項１ないし２５のいずれかに記載の現像装置若しくは請求項２７に記載のプロセスカートリッジを備えていることを特徴とする画像形成装置。
【請求項２９】
カラー画像を形成する画像形成装置において、請求項２７に記載のプロセスカートリッジを複数備えていることを特徴とする画像形成装置。
【請求項３０】
潜像担持体上に粉体を付着させて潜像担持体上の潜像を現像して画像を形成する画像形成方法において、前記請求項２６に記載の現像方法で前記潜像を現像して画像を形成することを特徴とする画像形成方法。
【手続補正２】
【補正対象書類名】明細書
【補正対象項目名】００１５
【補正方法】変更
【補正の内容】
【００１５】
【課題を解決するための手段】
上記の課題を解決するため、本発明に係る現像装置は、潜像担持体に対向して配置され、粉体を移動させる進行波電界を発生させるための複数の電極を有する搬送部材を備え、この搬送部材の電極に対して粉体が潜像の画像部に対しては潜像担持体側に向かい、非画像部に対しては粉体が潜像担持体と反対側に向かう方向の電界を形成するｎ相の電位が印加される構成とした。
また、本発明に係る現像装置は、潜像担持体に対向して配置され、粉体を移動させる進行波電界を発生させるための複数の電極を有する搬送部材を備え、搬送部材の電極にはｎ相の電位が印加され、搬送部材の電極に印加される電圧の平均値電位が、潜像の画像部電位と非画像部電位の間となる電位である構成とした。
【手続補正３】
【補正対象書類名】明細書
【補正対象項目名】００１６
【補正方法】変更
【補正の内容】
【００１６】
ここで、搬送部材の電極に印加される電圧の波形はパルス電圧と直流バイアス電圧とを重畳した波形であることが好ましい。この場合、直流バイアス電圧を出力する手段を有し、この手段は直流バイアス電圧の値を変化可能なことが好ましい。
【手続補正４】
【補正対象書類名】明細書
【補正対象項目名】０２５５
【補正方法】変更
【補正の内容】
【０２５５】
【発明の効果】
以上説明したように、本発明に係る現像装置によれば、搬送部材の電極に対して粉体が潜像の画像部に対しては潜像担持体側に向かい、非画像部に対しては粉体が潜像担持体と反対側に向かう方向の電界を形成する電位を与えるので、低電圧駆動が可能で、高い現像効率で高品質現像を行うことができる。また、搬送部材の電極にはｎ相の電位が印加され、搬送部材の電極に印加される電圧の平均値電位が、潜像の画像部電位と非画像部電位の間となる電位である構成としたので、低電圧駆動が可能で、高い現像効率で高品質現像を行うことができる。